(57)【要約】【課題】輝度分布のムラを抑制することが可能な照明装置、又は、表示品位の良好な表示装置を提供する。【解決手段】一実施形態の照明装置は、光源、第１導光板、第２導光板、反射体を備える。第１導光板は、光源側に位置する第１端部と、第１端部の反対側に位置する第２端部と、第１端部及び第２端部の間に位置する第１面と、第１面の反対側に位置する第２面とを有し、第１端部から第２端部に向けて伝播する光、及び、第２端部から第１端部に向けて伝播する光を第１面から出射する。第２導光板は、光源側に位置する第３端部と、第３端部の反対側に位置する第４端部と、第３端部及び第４端部の間に位置し第２面と対向する第３面と、第３面の反対側に位置する第４面とを有し、第３端部から第４端部に向けて光を伝播する。反射体は、第２導光板を伝播し第４端部に到達した光を反射させて第２端部に入射させる。【選択図】    図４
2016051512.tif 000002
【特許請求の範囲】
【請求項１】
光源と、
前記光源側に位置する第１端部と、前記第１端部の反対側に位置する第２端部と、前記第１端部及び前記第２端部の間に位置する第１面と、前記第１面の反対側に位置する第２面とを有し、前記第１端部から前記第２端部に向けて伝播する光、及び、前記第２端部から前記第１端部に向けて伝播する光を前記第１面から出射する第１導光板と、
前記光源側に位置する第３端部と、前記第３端部の反対側に位置する第４端部と、前記第３端部及び前記第４端部の間に位置し前記第２面と対向する第３面と、前記第３面の反対側に位置する第４面とを有し、前記第３端部から前記第４端部に向けて光を伝播する第２導光板と、
前記第２導光板を伝播し前記第４端部に到達した光を反射させて前記第２端部に入射させる反射体と、
を備える照明装置。
【請求項２】
前記反射体は、前記第２端部及び前記第４端部と対向して配置され、前記第４端部からの光を全反射して前記第２端部に入射させるプリズムである、
請求項１に記載の照明装置。
【請求項３】
前記第２面と前記第３面との間に設けられた遮光層をさらに備える、
請求項１又は２に記載の照明装置。
【請求項４】
前記光源は、第１方向に並んだ第１光源及び第２光源を含み、
前記第１端部及び前記第３端部は、前記第１方向に沿って延び、
前記第１導光板は、前記第１端部の第１位置から前記第１光源に向けて突出するとともに、前記第１光源からの光が入射する第１先端面を有した第１突起を備え、
前記第２導光板は、前記第１方向において前記第１位置とずれた前記第３端部の第２位置から前記第２光源に向けて突出するとともに、前記第２光源からの光が入射する第２先端面を有した第２突起を備える、
請求項１乃至３のうちいずれか１項に記載の照明装置。
【請求項５】
前記第１導光板の前記第１面及び前記第２面の間の第１厚さは、前記第１先端面の第１高さよりも小さく、
前記第２導光板の前記第３面及び前記第４面の間の第２厚さは、前記第２先端面の第２高さよりも小さく、
前記第１突起は、前記第１先端面から前記第１端部に向かうに連れて前記第１高さから前記第１厚さに漸次減少する第３厚さを有した形状を備え、
前記第２部分は、前記第２先端面から前記第３端部に向かうに連れて前記第２高さから前記第２厚さに漸次減少する第４厚さを有した形状を備える、
請求項４に記載の照明装置。
【請求項６】
前記第１導光板は、
前記第１端部から前記第２端部に亘り平行に延びる複数の隔壁にて形成された複数の溝を有するクラッドと、
前記複数の溝にそれぞれ収容されるとともに、前記溝から露出する露出面をそれぞれ有し、前記第１端部から前記第２端部に向けて光を伝播し、前記第２端部から前記第１端部に向けて光を伝播する複数のコアと、
を備え、
前記複数のコアの前記露出面により前記第１面の少なくとも一部が構成された、
請求項１乃至５のうちいずれか１項に記載の照明装置。
【請求項７】
前記第２導光板は、
前記第３端部から前記第４端部に亘り平行に延びる複数の隔壁にて形成された複数の溝を有するクラッドと、
前記複数の溝にそれぞれ収容されるとともに、前記第３端部から前記第４端部に向けて光を伝播する複数のコアと、
を備える、請求項１乃至５のうちいずれか１項に記載の照明装置。
【請求項８】
前記第１導光板は、前記第１面に形成されるとともに前記第１導光板内を伝播する光を反射する複数の凸パターンを有する、
請求項１乃至７のうちいずれか１項に記載の照明装置。
【請求項９】
前記複数の凸パターンの密度は、前記第１端部及び前記第２端部の間の中心に向かうに連れて高くなる、
請求項８に記載の照明装置。
【請求項１０】
第１方向に並ぶ第１光源及び第２光源と、
前記第１光源及び前記第２光源の側に位置する第１端部と、前記第１端部の反対側に位置する第２端部と、前記第１端部及び前記第２端部の間に位置する第１出射エリア及び第２出射エリアを含む第１面と、前記第１面の反対側に位置する第２面とを有し、前記第１端部から前記第２端部に向けて伝播する光を前記第１出射エリアから出射するとともに、前記第２端部から前記第１端部に向けて伝播する光を前記第２出射エリアから出射する第１導光板と、
前記第１光源及び前記第２光源の側に位置する第３端部と、前記第３端部の反対側に位置する第４端部と、前記第３端部及び前記第４端部の間に位置し前記第２面と対向する第３面と、前記第３面の反対側に位置する第４面とを有し、前記第３端部から前記第４端部に向けて光を伝播する第２導光板と、
前記第２導光板を伝播し前記第４端部に到達した光を反射させて前記第２端部に入射させる反射体と、
前記第１出射エリアと対向する第１表示エリア及び前記第２出射エリアと対向する第２表示エリアを有する表示パネルと、
前記第１光源及び前記第２光源の輝度を制御するコントローラと、
を備える表示装置。
【請求項１１】
前記第１出射エリア及び前記第２出射エリアは、前記第１方向と交差する第２方向に並ぶ、
請求項１０に記載の表示装置。
【請求項１２】
前記コントローラは、前記第１表示エリアに表示される第１画像の第１明度に応じて前記第１光源の輝度を制御し、前記第２表示エリアに表示される第２画像の第２明度に応じて前記第２光源の輝度を制御する、
請求項１０又は１１に記載の表示装置。
【請求項１３】
前記コントローラは、前記第１明度と前記第２明度とが等しい場合において前記第２光源の輝度が前記第１光源の輝度よりも高くなるように前記第１光源及び前記第２光源を制御する、
請求項１２に記載の表示装置。
【発明の詳細な説明】
【技術分野】
【０００１】
本発明の実施形態は、照明装置及び表示装置に関する。
【背景技術】
【０００２】
光源と、この光源からの光が入射する入射面及びこの入射面から入射した光が出射する出射面を有する導光板と、を備える照明装置が知られている。この種の照明装置は、例えば、液晶表示装置などの表示装置のバックライトとして利用されている。
上記の照明装置において、光源から導光板に入射する光は、光源から離れるに連れて減衰するために、導光板の光源側のエリアと、その反対側のエリアとで出射面の輝度に差が生じ得る。このようなムラのある輝度分布は、照明装置の利用態様によっては種々の問題を引き起こす。例えば、照明装置を表示装置のバックライトとして使用する場合においては、輝度分布のムラが表示品位を低下させ得る。
【先行技術文献】
【特許文献】
【０００３】
【特許文献１】特開２０１０−１７０８９８号公報
【発明の概要】
【発明が解決しようとする課題】
【０００４】
本発明の一態様における目的は、輝度分布のムラを抑制することが可能な照明装置、又は、表示品位の良好な表示装置を提供することである。
【課題を解決するための手段】
【０００５】
一実施形態における照明装置は、光源と、第１導光板と、第２導光板と、反射体とを備える。上記第１導光板は、上記光源側に位置する第１端部と、上記第１端部の反対側に位置する第２端部と、上記第１端部及び上記第２端部の間に位置する第１面と、上記第１面の反対側に位置する第２面とを有し、上記第１端部から上記第２端部に向けて伝播する光、及び、上記第２端部から上記第１端部に向けて伝播する光を上記第１面から出射する。上記第２導光板は、上記光源側に位置する第３端部と、上記第３端部の反対側に位置する第４端部と、上記第３端部及び上記第４端部の間に位置し上記第２面と対向する第３面と、上記第３面の反対側に位置する第４面とを有し、上記第３端部から上記第４端部に向けて光を伝播する。上記反射体は、上記第２導光板を伝播し上記第４端部に到達した光を反射させて上記第２端部に入射させる。
【０００６】
一実施形態における表示装置は、第１光源及び第２光源と、第１導光板と、第２導光板と、反射体と、表示パネルと、コントローラと、を備える。上記第１光源及び第２光源は、第１方向に並ぶ。上記第１導光板は、上記第１光源及び上記第２光源の側に位置する第１端部と、上記第１端部の反対側に位置する第２端部と、上記第１端部及び上記第２端部の間に位置する第１出射エリア及び第２出射エリアを含む第１面と、上記第１面の反対側に位置する第２面と、を有する。上記第２導光板は、上記第１光源及び上記第２光源の側に位置する第３端部と、上記第３端部の反対側に位置する第４端部と、上記第３端部及び上記第４端部の間に位置し上記第２面と対向する第３面と、上記第３面の反対側に位置する第４面と、を有する。上記反射体は、上記第２導光板を伝播し上記第４端部に到達した光を反射させて上記第２端部に入射させる。上記表示パネルは、上記第１出射エリアと対向する第１表示エリア及び上記第２出射エリアと対向する第２表示エリアを有する。上記コントローラは、上記第１光源及び上記第２光源の輝度を制御する。
【図面の簡単な説明】
【０００７】
【図１】図１は、第１実施形態における表示装置の構成例を概略的に示す分解斜視図である。
【図２】図２は、上記表示装置が備える液晶表示パネルの構成及び等価回路の一例を概略的に示す図である。
【図３】図３は、上記表示装置が備える液晶表示パネルの一構成例を模式的に示す断面図である。
【図４】図４は、上記表示装置が備えるバックライトの構造の概念を説明するための図である。
【図５】図５は、上記バックライトに適用し得る構造の具体例を示す図である。
【図６】図６は、図５に示した導光体の分解斜視図である。
【図７】図７は、上記バックライトの部分駆動により制御可能な出射面のエリアを説明するための図である。
【図８】図８は、液晶表示装置が備える制御要素の一部を概略的に示す図である。
【図９】図９は、上記発光ダイオードの輝度の決定方法の一例を説明するための図である。
【図１０】図１０は、第２実施形態に係る導光板の一例を模式的に示す図である。
【図１１】図１１は、図１０に示したクラッド及び複数のコアの構造の一例を説明するための図である。
【図１２】図１２は、第３実施形態に係る構成の一例を説明するための図である。
【図１３】図１３は、第４実施形態に係る構成の一例を説明するための図である。
【図１４】図１４は、第５実施形態に係る構成の一例を説明するための図である。
【図１５】図１５は、第６実施形態に係る構成の一例を説明するための図である。
【図１６】図１６は、第６実施形態に係る構成の他の例を説明するための図である。
【図１７】図１７は、第６実施形態の変形例に係る構成の一例を説明するための図である。
【図１８】図１８は、第７実施形態に係る構成の一例を説明するための図である。
【図１９】図１９は、第７実施形態に係る構成の他の例を説明するための図である。
【発明を実施するための形態】
【０００８】
いくつかの実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を適宜省略することがある。
【０００９】
以下に説明する第１乃至第７実施形態においては、表示装置の一例として液晶表示装置を開示するとともに、照明装置の一例としてこの液晶表示装置が備えるバックライトを開示する。上記液晶表示装置は、例えば、スマートフォン、タブレット端末、携帯電話端末、パーソナルコンピュータ、テレビ、自動車（車載装置）、ゲーム機器等の種々の装置に用いることができる。なお、表示装置は液晶表示装置に限られず、照明装置を利用するものであればＭＥＭＳ（Micro Electro Mechanical Systems）を応用した表示装置など他種の表示装置であっても良い。
【００１０】
（第１実施形態）
図１は、第１実施形態における液晶表示装置ＬＣＤの構成例を概略的に示す分解斜視図である。
液晶表示装置ＬＣＤは、アクティブマトリクス型の液晶表示パネルＰＮＬを備えている。図１の例において、液晶表示パネルＰＮＬは、第１方向Ｘに沿う短辺と、第１方向Ｘと垂直に交わる第２方向Ｙに沿う長辺と、を有する長方形状に形成されている。
液晶表示装置ＬＣＤは、さらに、両面テープＴＰ、光学シートＯＳ、フレームＦＲ、導光体ＬＧ、光源ユニットＬＵ、反射シートＲＳ、及びベゼルＢＺなどを備えている。液晶表示パネルＰＮＬを照明するバックライトＢＬは、少なくとも導光体ＬＧ及び光源ユニットＬＵを備えて構成されている。バックライトＢＬは、上述したように照明装置の一例であり、面光源装置などと呼ばれることもある。
【００１１】
液晶表示パネルＰＮＬは、平板状の第１基板ＳＵＢ１と、第１基板ＳＵＢ１に対向配置された平板状の第２基板ＳＵＢ２と、第１基板ＳＵＢ１と第２基板ＳＵＢ２との間に保持された液晶層と、を備えている。
液晶表示パネルＰＮＬは、第１基板ＳＵＢ１と第２基板ＳＵＢ２とが対向する領域に画像を表示する表示エリアＤＡを有している。液晶表示パネルＰＮＬは、バックライトＢＬからの光を選択的に透過することで画像を表示する透過表示機能を備えた透過型である。なお、液晶表示パネルＰＮＬは、透過表示機能に加えて、外光を選択的に反射することで画像を表示する反射表示機能を備えた半透過型であっても良い。
【００１２】
図示した例では、液晶表示パネルＰＮＬを駆動するのに必要な信号を供給する信号供給源として、駆動ＩＣチップＣＰ及びフレキシブルプリント回路基板ＦＰＣが第１基板ＳＵＢ１に実装されている。
光学シートＯＳは、光透過性を有しており、液晶表示パネルＰＮＬの裏面側に位置し、少なくとも表示エリアＤＡと対向している。光学シートＯＳとしては、拡散シートＯＳＡ、プリズムシートＯＳＢ、プリズムシートＯＳＣ、拡散シートＯＳＤなどが含まれる。図示した例では、これらの光学シートＯＳは、いずれも長方形状に形成されている。
【００１３】
フレームＦＲは、液晶表示パネルＰＮＬとベゼルＢＺとの間に位置している。図示した例では、フレームＦＲは、矩形枠状に形成されており、表示エリアＤＡと対向する長方形状の開口部ＯＰを有している。
両面テープＴＰは、表示エリアＤＡの外側で液晶表示パネルＰＮＬとフレームＦＲとの間に位置している。この両面テープＴＰは、例えば遮光性を有しており、矩形枠状に形成され、液晶表示パネルＰＮＬとフレームＦＲとを接着する。
【００１４】
導光体ＬＧは、フレームＦＲとベゼルＢＺとの間に位置している。図示した例では、導光体ＬＧは、液晶表示パネルＰＮＬと向い合う光の出射面ＬＡを有する平板状に形成されている。なお、導光体ＬＧは、必ずしも全体の厚みが一様な平板状に形成される必要はない。例えば、導光体ＬＧは、光源ユニットＬＵから離れるに連れて厚みが漸次減少するように出射面ＬＡが傾斜したテーパ形状を光源ユニットＬＵの近傍に有していても良い。このようにすれば、出射面ＬＡの上に光学シートＯＳを配置するための空間を形成することができる。
光源ユニットＬＵは、導光体ＬＧの側面に沿って配置されている。光源ユニットＬＵは、第１方向Ｘに並んだ複数の発光ダイオードＬＤ、これらの発光ダイオードＬＤが実装されるフレキシブル回路基板ＬＦＰＣなどを備えている。光源ユニットＬＵは、発光ダイオードＬＤに代えて、例えば有機エレクトロルミネッセンス素子などの他種の光源を備えていても良い。
【００１５】
反射シートＲＳは、光反射性を有しており、導光体ＬＧの裏面（出射面ＬＡの反対側の面）と対向している。図示した例では、反射シートＲＳは、長方形状に形成されている。
液晶表示パネルＰＮＬ、両面テープＴＰ、光学シートＯＳ、導光体ＬＧ、及び反射シートＲＳは、第１方向Ｘ及び第２方向Ｙと垂直に交わる第３方向Ｚにこの順で重ねられて、ベゼルＢＺに収容されている。
【００１６】
ベゼルＢＺは、さらに、フレームＦＲ及び光源ユニットＬＵを収容する。例えば、ベゼルＢＺ内において、光学シートＯＳ、及び導光体ＬＧは、フレームＦＲの開口部ＯＰ内に位置する。
なお、図１においては、両面テープＴＰにより液晶表示パネルＰＮＬ及びフレームＦＲが接着される例を示したが、液晶表示パネルＰＮＬ及びフレームＦＲは、他種の接着層により接着されても良い。また、液晶表示パネルＰＮＬとバックライトＢＬとの位置合わせのために両面テープＴＰや上記接着層を設ける代わりに、液晶表示パネルＰＮＬとバックライトＢＬとを固定する枠体を設け、この枠体により液晶表示パネルＰＮＬとバックライトＢＬとが固定されても良い。
また、図１の例においては、長方形状の液晶表示パネルＰＮＬ、光学シートＯＳ、及び開口部ＯＰ等を図示したがこれに限らず、液晶表示パネルＰＮＬ、光学シートＯＳ、及び開口部ＯＰ等は正方形状やその他の多角形状、円形状等であっても良い。
【００１７】
図２は、液晶表示パネルＰＮＬの構成及び等価回路の一例を概略的に示す図である。液晶表示パネルＰＮＬは、表示エリアＤＡにおいて、第１方向Ｘと平行に延びる複数のゲート線Ｇ（Ｇ１〜Ｇｎ：ｎは正の整数）と、第２方向Ｙと平行に延びる複数のソース線Ｓ（Ｓ１〜Ｓｍ：ｍは正の整数）と、ｎ×ｍのマトリクス状に配列された複数の副画素ＳＰＸと、を備えている。
副画素ＳＰＸは、ゲート線Ｇ及びソース線Ｓと電気的に接続されたスイッチング素子ＳＷと、スイッチング素子ＳＷと電気的に接続された画素電極ＰＥと、を備えている。画素電極ＰＥは、第１基板ＳＵＢ１と第２基板ＳＵＢ２との間に保持された液晶層ＬＱを介して共通電極ＣＥと対向している。
【００１８】
複数の副画素ＳＰＸによってカラー表示を実現するための最小単位である単位画素ＰＸが構成される。例えば、単位画素ＰＸは、赤、緑、青、白にそれぞれ対応する副画素ＳＰＸＲ，ＳＰＸＧ，ＳＰＸＢ，ＳＰＸＷを含む。図２の例において、これらの副画素ＳＰＸＲ，ＳＰＸＧ，ＳＰＸＢ，ＳＰＸＷは、第１方向Ｘと平行に並んでいる。なお、単位画素ＰＸを構成する副画素ＳＰＸＲ，ＳＰＸＧ，ＳＰＸＢ，ＳＰＸＷのレイアウトについては、図２の例に限らず、４つの副画素ＳＰＸＲ，ＳＰＸＧ，ＳＰＸＢ，ＳＰＸＷが一方向に並んでいなくても良い。また、単位画素ＰＸは白色に対応する副画素ＳＰＸＷを含んでいなくても良いし、黄色などの他の色の副画素ＳＰＸを含んでいても良い。
【００１９】
各ゲート線Ｇは、表示エリアＤＡの外側に引き出され、ゲートドライバ５１に接続されている。各ソース線Ｓは、表示エリアＤＡの外側に引き出され、ソースドライバ５２に接続されている。共通電極ＣＥは、コモン電圧を供給する給電部ＶＳに給電線ＰＬを介して電気的に接続されている。ゲートドライバ５１及びソースドライバ５２は、例えば、第１基板ＳＵＢ１に内蔵回路として形成され、駆動ＩＣチップＣＰと接続されている。
【００２０】
図３は、液晶表示パネルＰＮＬの一構成例を模式的に示す断面図である。ここでは、副画素ＳＰＸＲ，ＳＰＸＧ，ＳＰＸＢ，ＳＰＸＷを含む単位画素ＰＸに対応する構造の一部を示している。
【００２１】
上述したように、液晶表示パネルＰＮＬは、第１基板ＳＵＢ１と、第１基板ＳＵＢ１に対向して配置された第２基板ＳＵＢ２と、これら第１基板ＳＵＢ１と第２基板ＳＵＢ２との間に保持された液晶層ＬＱとを備えている。
第１基板ＳＵＢ１は、光透過性を有するガラス基板或いは樹脂基板などの第１絶縁基板１０と、第１絶縁基板１０の内面（第２基板ＳＵＢ２側の面）を覆う第１絶縁層１１と、第１絶縁層１１の上に配置された共通電極ＣＥと、共通電極ＣＥを覆う第２絶縁層１２とを備えている。
【００２２】
さらに、第１基板ＳＵＢ１は、副画素ＳＰＸＲ，ＳＰＸＧ，ＳＰＸＢ，ＳＰＸＷにそれぞれ対応する画素電極ＰＥ（ＰＥＲ，ＰＥＧ，ＰＥＢ，ＰＥＷ）と、これら画素電極ＰＥＲ，ＰＥＧ，ＰＥＢ，ＰＥＷ及び第２絶縁層１２を覆い液晶層ＬＱと接する第１配向膜ＡＬ１とを備えている。共通電極ＣＥと画素電極ＰＥＲ，ＰＥＧ，ＰＥＢ，ＰＥＷは、第２絶縁層１２を介して向かい合う。図３の例において、画素電極ＰＥＲ，ＰＥＧ，ＰＥＢ，ＰＥＷは、複数のスリットＰＳＬを有している。
【００２３】
共通電極ＣＥ及び画素電極ＰＥＲ，ＰＥＧ，ＰＥＢ，ＰＥＷは、例えばインジウム錫酸化物（Indium Tin Oxide：ＩＴＯ）やインジウム亜鉛酸化物（Indium Zinc Oxide：ＩＺＯ）などの透明な導電材料で形成されている。
【００２４】
一方、第２基板ＳＵＢ２は、光透過性を有するガラス基板或いは樹脂基板などの第２絶縁基板２０と、第２絶縁基板２０の内面（第１基板ＳＵＢ１側の面）に設けられたカラーフィルタＣＦＲ，ＣＦＧ，ＣＦＢ，ＣＦＷ及びブラックマトリクス２１とを備える。
【００２５】
カラーフィルタＣＦＲは、例えば赤色に着色された樹脂材料によって形成され、赤色の副画素ＳＰＸＲに配置されている。カラーフィルタＣＦＧは、例えば緑色に着色された樹脂材料によって形成され、緑色の副画素ＳＰＸＧに配置されている。カラーフィルタＣＦＢは、例えば青色に着色された樹脂材料によって形成され、青色の副画素ＳＰＸＢに配置されている。カラーフィルタＣＦＷは、例えば白色に着色された樹脂材料によって形成され、白色の副画素ＳＰＸＷに配置されている。なお、カラーフィルタＣＦＷは透明な樹脂材料によって形成されていても良いし、白色の副画素ＳＰＸＷにカラーフィルタＣＦＷを設けなくても良い。
図３においてはカラーフィルタＣＦＲ，ＣＦＧ，ＣＦＢ，ＣＦＷが第２基板ＳＵＢ２に設けられる例を示しているが、カラーフィルタＣＦＲ，ＣＦＧ，ＣＦＢ，ＣＦＷは第１基板ＳＵＢ１に設けられていても良い。
【００２６】
ブラックマトリクス２１は、副画素ＳＰＸＲ，ＳＰＸＧ，ＳＰＸＢ，ＳＰＸＷを区画する。カラーフィルタＣＦＲ，ＣＦＧ，ＣＦＢ，ＣＦＷの境界は、ブラックマトリクス２１上に位置している。なお、ブラックマトリクス２１に代えて、隣り合うカラーフィルタ同士（ＣＦＲとＣＦＧ、ＣＦＧとＣＦＢ、ＣＦＢとＣＦＷなど）の端部を重ね合せることで遮光層が形成されても良い。
第２基板ＳＵＢ２は、さらに、カラーフィルタＣＦＲ，ＣＦＧ，ＣＦＢ，ＣＦＷ及びブラックマトリクス２１を覆うオーバーコート層２２と、オーバーコート層２２を覆い液晶層ＬＱと接する第２配向膜ＡＬ２とを備える。
【００２７】
第１絶縁基板１０の外面（バックライトＢＬ側の面）には、第１偏光板ＰＬ１を含む第１光学素子ＯＤ１が配置されている。また、第２基板ＳＵＢ２の外面（第１基板ＳＵＢ１と反対側の面）には、第２偏光板ＰＬ２を含む第２光学素子ＯＤ２が配置されている。
【００２８】
なお、図３に示す構造は、一例として、液晶分子のスイッチングに基板主面と略平行な横電界を利用するモードの液晶表示パネルＰＮＬに適用可能である。また、画素電極ＰＥＲ，ＰＥＧ，ＰＥＢ，ＰＥＷ及び共通電極ＣＥが同層に配置された構造や、共通電極ＣＥが画素電極ＰＥＲ，ＰＥＧ，ＰＥＢ，ＰＥＷよりも液晶層ＬＱ側に配置された構造であっても、横電界を利用するモードの液晶表示パネルＰＮＬを実現することができる。
但し、液晶表示パネルＰＮＬのモードは、横電界を利用するモードに限られず、ＴＮ（Twisted Nematic）モードやＶＡ（Vertical Aligned）モードのように液晶分子のスイッチングに基板主面の法線方向と平行な縦電界を利用するモードであっても良い。
【００２９】
続いて、バックライトＢＬについて説明する。  
図４は、バックライトＢＬの構造の概念を説明するための図であって、バックライトＢＬが備える要素のＹ−Ｚ平面と平行な断面を模式的に示している。この図に示すように、導光体ＬＧは、第１導光板３と、第２導光板４とを備えている。
【００３０】
第１導光板３は、光源ユニットＬＵ（発光ダイオードＬＤ）側に位置する第１端部３ａと、この第１端部３ａの反対側に位置する第２端部３ｂと、これら第１端部３ａ及び第２端部３ｂの間に亘る第１面３ｃと、この第１面３ｃの反対側に位置し第１端部３ａ及び第２端部３ｂの間に亘る第２面３ｄと、を有している。図４の例において、第１面３ｃは、導光体ＬＧの出射面ＬＡに相当する。
【００３１】
一方、第２導光板４は、光源ユニットＬＵ（発光ダイオードＬＤ）側に位置する第３端部４ａと、この第３端部４ａの反対側に位置する第４端部４ｂと、これら第３端部４ａ及び第４端部４ｂの間に亘る第３面４ｃと、この第３面４ｃの反対側に位置し第３端部４ａ及び第４端部４ｂの間に亘る第４面４ｄと、を有している。
【００３２】
図４の例において、第１端部３ａ、第２端部３ｂ、第３端部４ａ、第４端部４ｂは、いずれも第１方向Ｘに延びている。また、第１面３ｃ、第２面３ｄ、第３面４ｃ、第４面４ｄは、いずれもＸ−Ｙ平面と平行な面である。第１導光板３及び第２導光板４は、例えば、長方形の平板状であり、第１端部３ａ、第２端部３ｂ、第３端部４ａ、第４端部４ｂは、それぞれ第１導光板３及び第２導光板４の短辺に相当する。
なお、第１導光板３及び第２導光板４の形状は長方形状に限られず、正方形状やその他の多角形状、円形状等であっても良い。さらに、第１面３ｃなどを傾斜させることで、上述のようにテーパ形状を有した導光体ＬＧを構成しても良い。
【００３３】
第１導光板３及び第２導光板４は、第２面３ｄと第３面４ｃとを対向させて、第３方向Ｚに重ねられている。第１導光板３の第１面３ｃは、上述の光学シートＯＳを介して液晶表示パネルＰＮＬの第１基板ＳＵＢ１と対向する。第２導光板４の第４面４ｄは、上述の反射シートＲＳと接する。
【００３４】
また、図４の例において、バックライトＢＬは、第１導光板３の第２面３ｄと第２導光板４の第３面４ｃとの間に配置された遮光層５と、第１導光板３の第２端部３ｂ及び第２導光板４の第４端部４ｂと対向して配置され、これら第２端部３ｂ及び第４端部４ｄに沿って第１方向Ｘに延びる反射体６と、を備えている。
【００３５】
遮光層５は、第２導光板４から漏れた光を遮光して、この光の第１導光板３への入射を防ぐ。このような遮光層５としては、例えば、第１導光板３の第２面３ｄから漏れる光を第１導光板３に反射するとともに、第２導光板４の第３面４ｃから漏れる光を第２導光板４に反射する反射シートを用いることができる。図４の例において、遮光層５は、第２面３ｄ及び第３面４ｃの双方に接している。
【００３６】
反射体６は、第４端部４ｂから入射する光を反射して第３端部３ｂに入射させる。このような反射体６としては、例えば、複数の反射面を有し、これらの反射面で２回全反射して第４端部４ｂからの光を第３端部３ｂに入射させる全反射プリズムを用いることができる。図４の例において、反射体６は三角プリズムであり、その斜面が第２端部３ｂ及び第４端部４ｄの双方に接している。
【００３７】
第１導光板３、第２導光板４、及び反射体６は、個別に形成されたものであっても良いし、一体的に形成されたものであっても良い。
図４において、実線矢印及び破線矢印は、光源ユニットＬＵからの光の進路を示す。実線矢印で示されたように、光源ユニットＬＵからの光は、第１導光板３の第１端部３ａに入射し、第２端部３ｂに向けて第１導光板３内を伝播するとともに、第１面３ｃから出射する。この光は、例えば、第１端部３ａ及び第２端部３ｂの間の中央Ｃの近傍まで到達する。すなわち、第１端部３ａに入射した光により、第１面３ｃにおける中央Ｃよりも光源ユニットＬＵ側のエリアが発光する。
【００３８】
また、破線矢印で示すように、光源ユニットＬＵからの光は、第２導光板４の第３端部４ａに入射し、第４端部４ｂに向けて第２導光板４内を伝播する。第２導光板４内を伝播して第４端部４ｂに到達した光は、反射体６により全反射されて進行方向が略１８０°反転し、第１導光板３の第２端部３ｂに入射する。第２端部３ｂに入射した光は、第１導光板３内を伝播するとともに、第１面３ｃから出射する。この光は、例えば、中央Ｃの近傍まで到達する。すなわち、第２導光板４及び反射体６を介して第２端部３ｂに入射した光により、第１面３ｃにおける中央Ｃよりも第２端部３ｂ側のエリアが発光する。
【００３９】
このようなバックライトＢＬに適用し得る構造の具体例を図５に示す。この図においては、バックライトＢＬの光源ユニットＬＵ側の端部の一部を模式的に示している。  
図５の例において、光源ユニットＬＵに含まれる各発光ダイオードＬＤは、等間隔で第１方向Ｘに並んでいる。第１導光板３の第１端部３ａ及び第２導光板４の第３端部４ａは、各発光ダイオードＬＤと一定の間隔を空けて対向し、第１方向Ｘに延びている。
【００４０】
第１導光板３は、第１端部３ａの第１位置Ｐ１から発光ダイオードＬＤに向けて第２方向Ｙに沿って突出した複数の第１突起３０を有している。第２導光板４は、第３端部４ａの第２位置Ｐ２から発光ダイオードＬＤに向けて第２方向Ｙに沿って突出した複数の第２突起４０を有している。第１突起３０及び第２突起４０は、第１方向Ｘに沿って交互に配置されており、両者は重なることはない。
【００４１】
図５の例において、各第１位置Ｐ１は、左端から奇数番目の発光ダイオードＬＤと対向する位置であり、第１方向Ｘに等間隔で並んでいる。また、各第２位置Ｐ２は、左端から偶数番目の発光ダイオードＬＤと対向する位置であり、第１方向Ｘに等間隔で並んでいる。すなわち、第１位置Ｐ１及び第２位置Ｐ２は第１方向Ｘにおいて互いにずれた位置であり、第１方向Ｘに沿って交互に並んでいる。
【００４２】
第１突起３０は、奇数番目の発光ダイオードＬＤと対向する第１先端面３０ａを有している。第２突起４０は、偶数番目の発光ダイオードＬＤと対向する第２先端面４０ａを有している。第１先端面３０ａ及び第２先端面４０ａには、それぞれ、対向する発光ダイオードＬＤからの光が入射する。第１先端面３０ａを介して第１端部３ａに入射した光は、図４において実線矢印で示したように、第１導光板３内を伝播するとともに第１面３ｃから出射する。第２先端面４０ａを介して第３端部４ａに入射した光は、図４において破線矢印で示したように、第４端部４ｂに向けて第２導光板４内を伝播し、反射体６により反射されて第１導光板３に入射し、第１導光板３内を伝播するとともに第１面３ｃから出射する。
【００４３】
第１突起３０は、第１導光板３と一体的に形成されていても良いし、第１導光板３と別途に形成されたものが第１導光板３に接続されていても良い。また、第２突起４０は、第２導光板４と一体的に形成されていても良いし、第２導光板４と別途に形成されたものが第２導光板４に接続されていても良い。
【００４４】
図６は、図５に示した導光体ＬＧの分解斜視図である。第１導光板３の第２面３ｄと第２導光板４の第３面４ｃとの間には、上述の遮光層５が配置されている。
第１導光板３の第１面３ｃ及び第２面３ｄの間の第３方向Ｚにおける厚さ（第１厚さ）はｔ１であり、第２導光板４の第３面４ｃ及び第４面４ｄの間の第３方向Ｚにおける厚さ（第２厚さ）はｔ２である。第１先端面３０ａの第３方向Ｚにおける高さ（第１高さ）はｈ１であり、第２先端面４０ａの第３方向Ｚにおける高さ（第２高さ）はｈ２である。
【００４５】
第１厚さｔ１は、第１高さｈ１よりも小さい（ｔ１＜ｈ１）。図５及び図６の例において、第１突起３０の上面３０ｂ（液晶表示パネルＰＮＬ側の面）は、第１導光板３の第１面３ｃと同一平面に位置し、この第１面３ｃと接続されている。また、上面３０ｂの反対側に位置する第１突起３０の下面３０ｃは、第１導光板３の第２面３ｄに向けて曲がり、この第２面３ｄと接続されている。すなわち、第１突起３０の第３方向Ｚにおける厚さ（第３厚さ）ｔ３は、第１先端面３０ａから第１端部３ａに向かうに連れて第１高さｈ１から第１厚さｔ１に漸次減少する。なお、第１導光板３が第１面３ｃ側にテーパ形状を有する場合などにおいては、第１面３ｃと第１突起３０の上面３０ｂとが同一平面に位置していなくても良い。
【００４６】
第２厚さｔ２は、第２高さｈ２よりも小さい（ｔ２＜ｈ２）。図５及び図６の例において、第２突起４０の上面４０ｂ（液晶表示パネルＰＮＬ側の面）は、第２導光板４の第３面４ｃに向けて曲がり、この第４面４ｃと接続されている。また、上面４０ｂの反対側に位置する第２突起４０の下面４０ｃは、第２導光板４の第４面４ｄと同一平面に位置し、この第４面４ｄと接続されている。すなわち、第２突起４０の第３方向Ｚにおける厚さ（第４厚さ）ｔ４は、第２先端面４０ａから第３端部４ａに向かうに連れて第２高さｈ２から第２厚さｔ２に漸次減少する。なお、第２導光板４が第４面４ｄ側にテーパ形状を有する場合などにおいては、第４面４ｄと第２突起４０の下面４０ｃとが同一平面に位置していなくても良い。
【００４７】
例えば、第１高さｈ１及び第２高さｈ２はほぼ等しく（ｈ１＝ｈ２）、第１先端面３０ａ及び第２先端面４０ａは同一のＸ−Ｚ平面に位置するとともに第３方向Ｚにずれることなく第１方向Ｘに並んでいる。この場合において、導光体ＬＧの第３方向Ｚにおける厚さは、第１高さｈ１（或いは第２高さｈ２）とほぼ等しい。
【００４８】
一例として、第１厚さｔ１及び第２厚さｔ２はいずれも０.３mmであり、第１高さｈ１及び第２高さｈ２はいずれも０.８mmであり、発光ダイオードＬＤの第３方向Ｚにおける高さは０.６mmである。
【００４９】
以上のような構造のバックライトＢＬにおいては、出射面ＬＡの輝度ムラを抑えることができる。すなわち、１枚の導光板のいずれか１つの端部に沿って光源が配置されたバックライトにおいては、この光源から導光板に入射した光が当該端部から離れるに連れて減衰するために、当該端部付近とその反対側の端部付近とで導光板の出射面に輝度差が生じる。これに対し、図４〜図６を用いて説明したバックライトＢＬにおいては、第１導光板３の光源側に位置する第１端部３ａ及び光源とは反対側に位置する第２端部３ｂの双方から光が入射するために、出射面ＬＡに上記のような輝度差が生じにくい。
【００５０】
また、図５及び図６を用いて説明した構造によれば、バックライトＢＬの第３方向Ｚにおけるサイズの増大を招くことなく、第１方向Ｘに並んだ発光ダイオードＬＤからの光を第３方向Ｚに重ねた第１導光板３及び第２導光板４の双方に導くことができる。
なお、他の方法として、第３方向Ｚに２つの発光ダイオードＬＤを重ねて配置し、上側の発光ダイオードＬＤからの光を第１導光板３に取り込み、下側の発光ダイオードＬＤからの光を第２導光板４に取り込む構造も考え得る。
【００５１】
また、１枚の導光板の２つの端部に光源からの光を入射させる方法としては、これら２つの端部に沿ってそれぞれ光源を配置する構造も考え得る。しかしながら、この構造においては、２つの端部に光源を配置し、さらにこれらの光源の配線を引き回す分だけ、導光板の出射面と平行な方向（第１方向Ｘ或いは第２方向Ｙ）におけるバックライトのサイズが増大する。これに対し、図４〜図６を用いて説明した構造であれば、導光体ＬＧの向い合う２つの端部のそれぞれに沿って発光ダイオードＬＤを配置する必要が無いために、出射面ＬＡと平行な方向におけるバックライトのサイズを抑えることができる。これにより、液晶表示装置ＬＣＤのサイズも抑えることができる。
【００５２】
以上のような構成のバックライトＢＬにおいては、出射面ＬＡの輝度を所定のエリアごとに制御することが可能である。以下の説明においては、このようなエリアごとの制御をバックライトＢＬの“部分駆動”と呼ぶ。
図７は、バックライトＢＬの部分駆動により制御可能な出射面ＬＡのエリアを説明するための図であって、バックライトＢＬに含まれる要素の平面的な位置関係を模式的に示している。この図に示すバックライトＢＬにおいて、光源ユニットＬＵは、８つの発光ダイオードＬＤ１，ＬＤ２，ＬＤ３，ＬＤ４，ＬＤ６，ＬＤ７，ＬＤ８を備えている。これら発光ダイオードＬＤ１〜ＬＤ８は、この順で第１方向Ｘに並んでいる。
【００５３】
図７の例において、出射面ＬＡは、８つのサブ出射エリアＳＬＡ１，ＳＬＡ２，ＳＬＡ３，ＳＬＡ４，ＳＬＡ５，ＳＬＡ６，ＳＬＡ７，ＳＬＡ８を有している。サブ出射エリアＳＬＡ１，ＳＬＡ３，ＳＬＡ５，ＳＬＡ７は、いずれも出射面ＬＡの第２方向Ｙにおける中央Ｃよりも発光ダイオードＬＤ（第１端部３ａ）側のエリアであり、この順で第１方向Ｘに並んでいる。サブ出射エリアＳＬＡ２，ＳＬＡ４，ＳＬＡ６，ＳＬＡ８は、いずれも出射面ＬＡの第２方向Ｙにおける中央Ｃよりも反射体６（第２端部３ｂ）側のエリアであり、この順で第１方向Ｘに並んでいる。また、サブ出射エリアＳＬＡ１，ＳＬＡ２、サブ出射エリアＳＬＡ３，ＳＬＡ４、サブ出射エリアＳＬＡ５，ＳＬＡ６、サブ出射エリアＳＬＡ７，ＳＬＡ８の各ペアは、いずれも第２方向Ｙに並んでいる。
【００５４】
図７において、実線矢印は第１導光板３を伝播する光の進路を示し、破線矢印は第２導光板４を伝播する光の進路を示す。発光ダイオードＬＤ１，ＬＤ３，ＬＤ５，ＬＤ７からの光は、第１端部３ａから第１導光板３に入射し、それぞれサブ出射エリアＳＬＡ１，ＳＬＡ３，ＳＬＡ５，ＳＬＡ７から出射する。一方、発光ダイオードＬＤ２，ＬＤ４，ＬＤ６，ＬＤ８からの光は、いずれも第２導光板４の第３端部４ａに入射し、それぞれサブ出射エリアＳＬＡ２，ＳＬＡ４，ＳＬＡ６，ＳＬＡ８から出射する。すなわち、発光ダイオードＬＤ１，ＬＤ２，ＬＤ３，ＬＤ４，ＬＤ６，ＬＤ７，ＬＤ８は、それぞれサブ出射エリアＳＬＡ１，ＳＬＡ２，ＳＬＡ３，ＳＬＡ４，ＳＬＡ５，ＳＬＡ６，ＳＬＡ７，ＳＬＡ８を発光させる。
【００５５】
このような構成において、発光ダイオードＬＤ１〜ＬＤ８の輝度を制御することにより、第１方向Ｘ及び第２方向Ｙに関して二次元的に定義された８つのサブ出射エリアＳＬＡ１〜ＳＬＡ８ごとの部分駆動が可能である。
なお、発光ダイオードＬＤ１〜ＬＤ８から第１導光板３及び第２導光板４にそれぞれ入射した光は、各導光板を伝播する間に広がるため、隣接するサブ出射エリアＳＬＡから出射されることもあり得る。また、発光ダイオードＬＤ１，ＬＤ３，ＬＤ５，ＬＤ７からの光は中央Ｃよりも第２端部３ｂ側に伝播し得るし、発光ダイオードＬＤ２，ＬＤ４，ＬＤ６，ＬＤ８からの光は中央Ｃよりも第１端部３ａ側に伝播し得る。
【００５６】
続いて、バックライトＢＬの部分駆動に関わる制御例について説明する。  
図８は、液晶表示装置ＬＣＤが備える制御要素の一部を概略的に示すブロック図である。液晶表示装置ＬＣＤは、主要な制御要素として、コントローラ５０と、ゲートドライバ５１と、ソースドライバ５２と、光源ドライバ５３とを備えている。
【００５７】
コントローラ５０は、例えば、図１に示した駆動ＩＣチップＣＰ、フレキシブルプリント回路基板ＦＰＣ及びこの回路基板に実装されるＩＣ等の電子部品により構成することができる。コントローラ５０は、フレキシブルプリント回路基板ＦＰＣに接続された他の電子部品等をさらに含んでも良い。
【００５８】
コントローラ５０は、液晶表示装置ＬＣＤが搭載される電子機器のメインボードなどから、表示エリアＤＡに表示するための１フレーム分の画像データを順次受信する。この画像データは、例えば、表示エリアＤＡの各単位画素ＰＸに表示させる色及び明度などの情報を含む。コントローラ５０は、受信した画像データに基づいて、液晶表示パネルＰＮＬの各副画素ＳＰＸＲ，ＳＰＸＧ，ＳＰＸＢ，ＳＰＸＷに接続された複数のゲート線Ｇ（Ｇ１〜Ｇｎ）及び複数のソース線Ｓ（Ｓ１〜Ｓｍ）を駆動するための信号をゲートドライバ５１及びソースドライバ５２に供給する。
【００５９】
ゲートドライバ５１は、コントローラ５０から供給される信号などに応じて各ゲート線Ｇを選択的に駆動する。ソースドライバ５２は、コントローラ５０から供給される信号などに応じて各ソース線Ｓを選択的に駆動する。ゲート線Ｇ及びソース線Ｓの駆動により、液晶表示パネルＰＮＬの各副画素がオン又はオフされる。
【００６０】
コントローラ５０は、画像解析プロセッサ５４を備えている。画像解析プロセッサ５４は、コントローラ５０が受信した画像データを解析し、光源ユニットＬＵが備える複数の発光ダイオードＬＤの輝度を決定する。コントローラ５０は、画像解析プロセッサ５４により決定された発光ダイオードＬＤの輝度を示す信号を光源ドライバ５３に供給する。
【００６１】
光源ドライバ５３は、例えば各発光ダイオードＬＤに供給する電圧を調整することにより、コントローラ５０から供給される信号が示す輝度にて各発光ダイオードＬＤを点灯させる。なお、光源ドライバ５３は、画像解析プロセッサ５４により決定された輝度がゼロの発光ダイオードＬＤが存在する場合、この発光ダイオードＬＤは点灯させない。
【００６２】
図９は、画像解析プロセッサ５４による各発光ダイオードＬＤの輝度の決定方法の一例を説明するための図であって、バックライトＢＬと表示エリアＤＡとを概略的に示している。この図の例においては、図７の場合と同じく導光体ＬＧの端部に沿って８つの発光ダイオードＬＤ１〜ＬＤ８が並んでいる。すなわち、導光体ＬＧの出射面ＬＡは、図７に示したサブ出射エリアＳＬＡ１〜ＳＬＡ８ごとの部分駆動が可能である。
【００６３】
図９の例において、表示エリアＤＡは、サブ出射エリアＳＬＡ１と対向するサブ表示エリアＳＤＡ１と、サブ出射エリアＳＬＡ２と対向するサブ表示エリアＳＤＡ２と、サブ出射エリアＳＬＡ３と対向するサブ表示エリアＳＤＡ３と、サブ出射エリアＳＬＡ４と対向するサブ表示エリアＳＤＡ４と、サブ出射エリアＳＬＡ５と対向するサブ表示エリアＳＤＡ５と、サブ出射エリアＳＬＡ６と対向するサブ表示エリアＳＤＡ６と、サブ出射エリアＳＬＡ７と対向するサブ表示エリアＳＤＡ７と、サブ出射エリアＳＬＡ８と対向するサブ表示エリアＳＤＡ８と、を有している。
【００６４】
画像解析プロセッサ５４は、例えば、サブ表示エリアＳＤＡ１に含まれる各単位画素ＰＸの明度の合計値或いは平均値を画像データに基づいて算出し、この合計値或いは平均値に応じて発光ダイオードＬＤ１の輝度を決定する。このとき、画像解析プロセッサ５４は、例えば予め定められた演算式或いはテーブルなどを用いて、明度の合計値或いは平均値が高いほど輝度を高い値に決定する。同様に、発光ダイオードＬＤ２〜ＬＤ８の輝度についても、サブ表示エリアＳＤＡ２〜ＳＤＡ８に含まれる単位画素ＰＸの明度の合計値或いは平均値に応じて決定することができる。
【００６５】
図９の例において、表示エリアＤＡには、画像Ｉが表示されている。この画像Ｉは、サブ表示エリアＳＤＡ３〜ＳＤＡ６に亘る高明度部分ＨＢを含み、この高明度部分ＨＢを除く部分は明度が略ゼロ（黒）である。このような画像Ｉの画像データに基づく場合、画像解析プロセッサ５４は、サブ表示エリアＳＤＡ３〜ＳＤＡ６に対応する発光ダイオードＬＤ３〜ＬＤ６の輝度を高輝度である第１輝度に決定し、サブ表示エリアＳＤＡ１，ＳＤＡ２，ＳＤＡ７，ＳＤＡ８に対応する発光ダイオードＬＤ１，ＬＤ２，ＬＤ７，ＬＤ８の輝度を第１輝度よりも低い第２輝度に決定する。第２輝度はゼロであっても良く、この場合には発光ダイオードＬＤ１，ＬＤ２，ＬＤ７，ＬＤ８は点灯されない。
【００６６】
なお、発光ダイオードＬＤ２，ＬＤ４，ＬＤ６，ＬＤ８からの光は第１導光板３に到達するまでに第２導光板４及び反射体６を経るため、発光ダイオードＬＤ１〜ＬＤ８を同じ輝度で点灯させた場合には、サブ出射エリアＳＬＡ２，ＳＬＡ４，ＳＬＡ６，ＳＬＡ８がサブ出射エリアＳＬＡ１，ＳＬＡ３，ＳＬＡ５，ＳＬＡ７よりも低輝度となり得る。そこで、発光ダイオードＬＤ２，ＬＤ４，ＬＤ６，ＬＤ８の輝度が発光ダイオードＬＤ１，ＬＤ３，ＬＤ５，ＬＤ７の輝度よりも全体的に高めになるように発光ダイオードＬＤ１〜ＬＤ８が制御されてもよい。
【００６７】
例えば、図９の画像Ｉにおいて、サブ表示エリアＳＤＡ３に表示される画像の明度が第１明度であり、サブ表示エリアＳＤＡ４に表示される画像の明度が第２明度であり、これら第１明度及び第２明度が等しい場合を想定する。この場合において、画像解析プロセッサ５４は、発光ダイオードＬＤ３の第１輝度よりも、発光ダイオードＬＤ４の第２輝度が大きくなるようにこれら第１輝度及び第２輝度を決定する。
【００６８】
以上のように、表示エリアＤＡに表示される画像の明度に基づいて発光ダイオードＬＤ１〜ＬＤ６の輝度を決定することにより、コントラスト比を高めた高品位な画像表示が可能となる。例えば図９の画像Ｉにおいては、発光ダイオードＬＤ３〜ＬＤ６を第１輝度で点灯させるとともに発光ダイオードＬＤ１，ＬＤ２，ＬＤ７，ＬＤ８を第１輝度よりも低い第２輝度で点灯（或いは消灯）させることにより、サブ表示エリアＳＤＡ３〜ＳＤＡ６に表示される画像と他のサブ表示エリアＳＤＡ１，ＳＤＡ２，ＳＤＡ７，ＳＤＡ８に表示される画像とのコントラスト比を高めることができる。
【００６９】
また、一般的な液晶表示装置において、バックライトを点灯した状態で液晶表示パネルの液晶分子のスイッチングにより黒色を表現しようとした場合、バックライトからの光を液晶表示パネルにて完全に遮光することは困難である。そのために、表示エリアＤＡから多少の光が漏れて完全な黒を表現することができない。これに対し、本実施形態の構成では、いずれかのサブ表示エリアＳＤＡの全体或いはその殆どが黒である画像を表示するに際して、このサブ表示エリアＳＤＡに対応する発光ダイオードＬＤを消灯するか或いは極めて低輝度で点灯すれば、光の漏れを殆ど伴わずに黒を表現することができる。
【００７０】
また、高輝度で点灯させる必要がない発光ダイオードＬＤについては輝度を下げて点灯させるか或いは消灯させるために、バックライトＢＬの消費電力を抑えることができる。
また、図２及び図３の例のように、単位画素ＰＸが白色の副画素ＳＰＸＷを含む場合、単位画素ＰＸにおける色表現にこの副画素ＳＰＸＷを有効に活用すれば、表示エリアＤＡ全体の明度を高めることができる。したがって、発光ダイオードＬＤの輝度を全体的に下げて消費電力をより一層抑えることができる。
また、図４〜図６を用いて上述した構造により、第１方向Ｘに並ぶ複数の発光ダイオードＬＤを制御することで第２方向Ｙに分割された２つのサブ出射エリアＳＬＡの部分駆動が可能となる。
【００７１】
本実施形態における開示から得られる照明装置及び表示装置の一例を、以下に付記する。括弧書きで記す符号は、本実施形態において対応し得る要素に付した符号の一例である。この例に限られず、本実施形態の開示からは、種々の表示装置及び照明装置を得ることができる。  
（付記１）
光源（ＬＤ）と、
上記光源側に位置する第１端部（３ａ）と、上記第１端部の反対側に位置する第２端部（３ｂ）と、上記第１端部及び上記第２端部の間に位置する第１面（３ｃ）と、上記第１面の反対側に位置する第２面（３ｄ）とを有し、上記第１端部から上記第２端部に向けて伝播する光、及び、上記第２端部から上記第１端部に向けて伝播する光を上記第１面から出射する第１導光板（３）と、
上記光源側に位置する第３端部（４ａ）と、上記第３端部の反対側に位置する第４端部（４ｂ）と、上記第３端部及び上記第４端部の間に位置し上記第２面と対向する第３面（４ｃ）と、上記第３面の反対側に位置する第４面（４ｄ）とを有し、上記第３端部から上記第４端部に向けて光を伝播する第２導光板（４）と、
上記第２導光板を伝播し上記第４端部に到達した光を反射させて上記第２端部に入射させる反射体（６）と、
を備える照明装置。
（付記２）
第１方向に並ぶ第１光源（ＬＤ１）及び第２光源（ＬＤ２）と、
上記第１光源及び上記第２光源の側に位置する第１端部（３ａ）と、上記第１端部の反対側に位置する第２端部（３ｂ）と、上記第１端部及び上記第２端部の間に位置する第１出射エリア（ＳＬＡ１）及び第２出射エリア（ＳＬＡ２）を含む第１面（３ｃ）と、上記第１面の反対側に位置する第２面（３ｄ）とを有し、上記第１端部から上記第２端部に向けて伝播する光を上記第１出射エリアから出射するとともに、上記第２端部から上記第１端部に向けて伝播する光を上記第２出射エリアから出射する第１導光板（３）と、
上記第１光源及び上記第２光源の側に位置し上記第２光源からの光が入射する第３端部（４ａ）と、上記第３端部の反対側に位置する第４端部（４ｂ）と、上記第３端部及び上記第４端部の間に位置し上記第２面と対向する第３面（４ｃ）と、上記第３面の反対側に位置する第４面（４ｄ）とを有し、上記第３端部から上記第４端部に向けて光を伝播する第２導光板（４）と、
上記第２導光板を伝播し上記第４端部に到達した光を反射させて上記第２端部に入射させる反射体（６）と、
上記第１出射エリアと対向する第１表示エリア（ＳＤＡ１）及び上記第２出射エリアと対向する第２表示エリア（ＳＤＡ２）を有する表示パネルと、
上記第１光源及び上記第２光源の輝度を制御するコントローラ（５０）と、
を備える表示装置。
【００７２】
（第２実施形態）
第２実施形態について説明する。本実施形態においては、第１導光板３及び第２導光板４に採用し得る他の構成を開示する。特に言及しない構成及び作用等については、第１実施形態と同様である。
図１０は、第２実施形態に係る導光板１００の一例を模式的に示す図である。導光板１００は、光源ユニットＬＵ（発光ダイオードＬＤ）側に位置し第１方向Ｘに延びる第１端部１００ａと、この第１端部１００ａの反対側に位置し第１方向Ｘに延びる第２端部１００ｂとを有している。図１０の例において、導光板１００は長方形状であり、第１端部１００ａ及び第２端部１００ｂは導光板１００の短辺に相当する。なお、導光板１００の形状は長方形状に限られず、正方形状やその他の多角形状、円形状等であっても良い。
【００７３】
導光板１００は、クラッド１１０と、複数のコア１２０とを備えている。クラッド１１０は、第１屈折率を有する第１材料により形成されている。コア１２０は、第１屈折率よりも高い第２屈折率を有する第２材料により形成されている。第１材料及び第２材料としては、例えば、石英ガラス、多成分ガラス、或いはプラスチックなどを用いることができる。
【００７４】
クラッド１１０は、第２方向Ｙに沿ってそれぞれ平行に延びるとともに第１方向Ｘに沿って一定のピッチで配置された複数の隔壁１１１を有している。各コア１２０は、隣り合う２つの隔壁１１１の間にそれぞれ配置されており、第２方向Ｙに沿ってそれぞれ平行に延びるとともに第１方向Ｘに沿って一定のピッチで配置されている。第２端部１００ｂ側における各コア１２０の端部は、クラッド１１０により覆われず、上述の反射体６と対向している。
【００７５】
さらに、導光板１００は、複数のコア１２０の発光ダイオードＬＤ側の端部を接続する複数の接続部分１２１を備えている。この接続部分１２１は、コア１２０と同じく第２屈折率を有する第２材料によって形成されている。各接続部分１２１は、発光ダイオードＬＤと対向する入射面１２１ａを有している。図１０の例において、接続部分１２１は、連続する５つのコア１２０を接続するとともに、入射面１２１ａを除く一部がクラッド１１０に覆われている。但し、接続部分１２１が接続するコア１２０の数は５つに限定されない。また、接続部分１２１は、クラッド１１０により覆われていなくても良い。
【００７６】
図１１は、クラッド１１０及び複数のコア１２０の構造の一例を説明するための図である。この図においては、クラッド１１０及び複数のコア１２０のＸ−Ｚ平面と平行な断面を示している。
隔壁１１１は、クラッド１１０の一方の主面において第３方向Ｚに突出している。隣り合う２つの隔壁１１１は、溝１１２を形成する。言い換えれば、クラッド１１０は、第２方向Ｙに沿って延びるとともに第１方向Ｘに沿って一定のピッチで配置された複数の溝１１２を有している。
【００７７】
コア１２０は、溝１１２内に配置される。例えば、Ｘ−Ｚ平面と平行なコア１２０の断面は、図１０に示した接続部分１２１と接続された端部から第２端部１００ｂに亘って一様な矩形状である。溝１１２は、コア１２０と嵌め合う形状であり、コア１２０の表面と溝１１２の内面とは互いに密着している。図１１の例において、コア１２０は、隣り合う隔壁１１１の間において溝１１２から露出する露出面１２０ａを有している。
【００７８】
図１０及び図１１に示した構成の導光板１００において、発光ダイオードＬＤからの光は入射面１２１ａに入射し、接続部分１２１を伝播してこの接続部分１２１に接続された複数のコア１２０に入射し、これらのコア１２０を第２端部１００ｂ側まで伝播する。クラッド１１０の屈折率がコア１２０及び接続部分１２１の屈折率よりも低いために、コア１２０及び接続部分１２１内を伝播する光は、コア１２０及び接続部分１２１とクラッド１１０との境界において全反射される。したがって、この構造においては、発光ダイオードＬＤから第２端部１００ｂまで効率的に光を導くことができる。
【００７９】
導光板１００は、例えば、２色成形（ダブルモールド）により製造することができる。すなわち、先ずクラッド１１０の形状に対応した第１金型を用いて、第１屈折率を有する第１材料によりクラッド１１０を成形する。続いて、第２金型でクラッド１１０を覆い、コア１２０に対応した第２屈折率を有する第２材料により、各溝１１２内にそれぞれコア１２０を成形する。この工程において、コア１２０は、溝１１２の内壁に熱融着する。このような２色成形によれば、精度良く導光体ＬＧを製造することができる。また、クラッド１１０及びコア１２０を別々に成形する場合に比べて、導光板１００の製造効率を高めることができるとともに、製造コストも低減することができる。
【００８０】
なお、導光板１００は必ずしも２色成形で製造される必要はなく、例えばナノインプリントなどの他の方法により製造されても良い。
上記のような構造の導光板１００を第１導光板３として用いる場合、第１端部１００ａが第１導光板３の第１端部３ａに相当し、第２端部１００ｂが第１導光板３の第２端部３ｂに相当し、各コア１２０の露出面１２０ａ及び各隔壁１１１の先端面が第１導光板３の第１面３ｃに相当し、クラッド１１０の裏面（隔壁１１１が設けられていない側の面）が第１導光板３の第２面３ｄに相当し、接続部分１２１が第１突起３０に相当する。反射体６により反射された第２導光板４からの光は、第２端部１００ｂ側からコア１２０に入射する。露出面１２０ａはクラッド１１０と接していないために、コア１２０を伝播する光は、露出面１２０ａから出射する。すなわち、露出面１２０ａを含む第１面３ｃは、出射面ＬＡに相当する。
【００８１】
一般的に、屈折率が一様な導光板においては、光源からの光が放射状に拡散する。これに対し、導光板１００において、発光ダイオードＬＤからの光は、この光が入射したコア１２０を伝播して他のコア１２０に殆ど拡散することはない。したがって、導光板１００を第１導光板３として用いる場合には、出射面ＬＡにおいて各発光ダイオードＬＤにより発光するエリア（サブ出射エリア）の境界を明確に定義することができる。
【００８２】
一方、導光板１００を第２導光板４として用いる場合、第１端部１００ａが第２導光板４の第３端部４ａに相当し、第２端部１００ｂが第２導光板４の第４端部４ｂに相当し、各コア１２０の露出面１２０ａ及び各隔壁１１１の先端面が第２導光板４の第３面４ｃに相当し、クラッド１１０の裏面（隔壁１１１が設けられていない側の面）が第２導光板４の第４面４ｄに相当し、接続部分１２１が第２突起４０に相当する。露出面１２０ａから漏れる光は、遮光層５により遮光（或いはコア１２０に反射）される。導光板１００を第２導光板４として用いる場合には、クラッド１１０が露出面１２０ａを覆っていても良い。
【００８３】
導光板１００を第２導光板４として用いる場合には、発光ダイオードＬＤからの光を直線的に反射体６に導くことができる。したがって、反射体６により反射された光が第１導光板３に入射する位置を正確に定めることができる。
なお、導光板１００を第１導光板３及び第２導光板４の双方に用いて導光体ＬＧを構成しても良い。
【００８４】
また、図１０の例においては複数の接続部分１２１がそれぞれ分離しているが、これらの接続部分１２１が繋がっていても良い。この場合において、隣り合う発光ダイオードＬＤからの光の双方が入射するコア１２０を設けても良い。
【００８５】
（第３実施形態）
第３実施形態について説明する。特に言及しない構成及び作用等については、第１及び第２実施形態と同様である。
本実施形態では、第１導光板３の内部を伝播する光を第１面３ｃから効率的に出射させる方法の一例を開示する。図１２は、第３実施形態に係る構成の一例を説明するための図であって、第１導光板３及び発光ダイオードＬＤのＹ−Ｚ平面と平行な断面を模式的に示している。
【００８６】
図１２の例における第１導光板３は、多数の凸パターンＰＴを第１面３ｃ（第２実施形態の構成においてはコア１２０の露出面１２０ａ）に有している。凸パターンＰＴは、例えば、第１面３ｃに形成された半球状のドットパターンとすることができる。他の例として、凸パターンＰＴは、第１面３ｃに形成されたプリズムパターンとすることができる。
【００８７】
ドットパターン及びプリズムパターンなどの凸パターンＰＴは、第１導光板３の成形とともに、或いは第１導光板３の成形の後に第１面３ｃを加工することにより第１面３ｃに設けられても良いし、第１導光板３と別体のものが第１面３ｃに配置されていても良い。また、凸パターンＰＴは、第１導光板３の第２面３ｄに設けられても良い。
【００８８】
このような凸パターンＰＴは、第１導光板３の内部を伝播する光を外部に出射させる出射効率を向上するのに有効である。
第１端部３ａ及び第２端部３ｂから離れるに連れて第１面３ｃでの出射効率が下がる場合には、図１２に示すように、凸パターンＰＴの密度を第１端部３ａ及び第２端部３ｂから中央Ｃに向かうに連れて高くすることにより、出射面ＬＡの輝度を均一化しても良い。
【００８９】
（第４実施形態）
第４実施形態について説明する。特に言及しない構成及び作用等については、第１及び第２実施形態と同様である。
本実施形態では、第１導光板３の内部を伝播する光を第１面３ｃから効率的に出射させる方法の一例を開示する。図１３は、第４実施形態に係る構成の一例を説明するための図であって、Ｘ−Ｙ平面と平行な第１導光板３の断面を模式的に示している。
【００９０】
図１３の例において、第１導光板３は、多数の散乱構造ＳＴを内部に有している。散乱構造ＳＴは、例えば、第１導光板３の母材と異なる物質とすることができる。他の例として、散乱構造ＳＴは、空隙（気泡）とすることができる。なお、第２実施形態にて開示した導光板１００を第１導光板３に適用する場合においては、コア１２０に散乱構造ＳＴを設ければ良い。
このような散乱構造ＳＴは、第１導光板３の内部を伝播する光を外部に出射させる出射効率を向上するのに有効である。
【００９１】
第１端部３ａ及び第２端部３ｂから離れるに連れて第１面３ｃでの出射効率が下がる場合には、図１３に示すように、散乱構造ＳＴの密度を第１端部３ａ及び第２端部３ｂから中央Ｃに向かうに連れて高くすることにより、出射面ＬＡの輝度を均一化しても良い。
【００９２】
（第５実施形態）
第５実施形態について説明する。特に言及しない構成及び作用等については、第１及び第２実施形態と同様である。
【００９３】
本実施形態では、第２実施形態で開示した導光板１００を第１導光板３に適用した場合において、コア１２０に入射した光を露出面１２０ａから出射させる方法の一例について開示する。図１４は、第５実施形態に係る構成の一例を説明するための図であって、クラッド１１０、コア１２０、及び発光ダイオードＬＤのＹ−Ｚ平面と平行な断面を模式的に示している。
【００９４】
図１４の例において、コア１２０は、中央Ｃよりも第１端部１００ａ（第１端部３ａ）側の領域、及び、中央Ｃよりも第２端部１００ｂ（第２端部３ｂ）側の領域のそれぞれにおいて楔型の形状を有している。すなわち、コア１２０の第３方向Ｚにおける厚さＴ１は、第１端部１００ａ及び第２端部１００ｂから中央Ｃに向かうに連れて減少している。逆に、クラッド１１０の第３方向Ｚにおける厚さＴ２は、第１端部１００ａ及び第２端部１００ｂから中央Ｃに向かうに連れて増加している。
【００９５】
このような構成においては、第１端部１００ａ側及び第２端部１００ｂ側からコア１２０に入射した光がコア１２０の裏面１２０ｂ（露出面１２０ａの反対側の面）とクラッド１１０との境界で露出面１２０ａに向けて反射するために、露出面１２０ａから好適に光を出射させることができる。
なお、図１４においては、第１端部１００ａ及び第２端部１００ｂから中央Ｃに向かうに連れてクラッド１１０及びコア１２０の双方の厚さが変化する構造を例示したが、コア１２０の厚さのみが変化し、クラッド１１０の厚さが一定であっても良い。
【００９６】
（第６実施形態）
第６実施形態について説明する。特に言及しない構成及び作用等については、第１及び第２実施形態と同様である。
【００９７】
本実施形態では、第２実施形態で開示した導光板１００を第１導光板３に適用した場合を想定する。例えば図１０を用いて説明したように、発光ダイオードＬＤからの光が複数のコア１２０に入射する場合、各発光ダイオードＬＤの境界に位置するコア１２０の近傍において、他の部分に比べて輝度が低い境界スジが生じ得る。すなわち、発光ダイオードＬＤから第１方向Ｘに離れたコア１２０ほどこの発光ダイオードＬＤから入射する光が弱くなるために、２つの発光ダイオードＬＤの境界に位置するコア１２０の露出面１２０ａの輝度は他のコア１２０に比べて低くなり、出射面ＬＡ全体として見たときに第１方向Ｘに輝度ムラが生じ得る。このような輝度ムラは、液晶表示装置ＬＣＤの表示品位を低下させる一因となる。
【００９８】
図１５は、境界スジを防止する方法の一例を説明するための図である。この図の下方には、３つの発光ダイオードＬＤ１，ＬＤ２，ＬＤ３と、１１個のコア１２０とを模式的に示している。発光ダイオードＬＤ１からの光は、図中の左側から１番目乃至５番目のコア１２０に第１端部１００ａ（第１端部３ａ）側から入射する。発光ダイオードＬＤ２からの光は、図中の左側から４番目乃至８番目のコア１２０に第１端部１００ａ（第１端部３ａ）側から入射する。発光ダイオードＬＤ３からの光は、図中の左側から７番目乃至１１番目のコア１２０に第１端部１００ａ（第１端部３ａ）側から入射する。
【００９９】
このように、図１５の例においては、隣り合う発光ダイオードＬＤ（ＬＤ１とＬＤ２，ＬＤ２とＬＤ３）の間に配置される２つのコア１２０に、隣り合う発光ダイオードＬＤ（ＬＤ１とＬＤ２，ＬＤ２とＬＤ３）の双方からの光が入射する。
【０１００】
図１５の上方に示す曲線Ｃ１は、発光ダイオードＬＤ１が任意輝度で点灯した際に、発光ダイオードＬＤ１から任意距離だけ第２方向Ｙに離れた位置において出射面ＬＡに生じる第１方向Ｘに沿う輝度分布の一例を示す。曲線Ｃ２は、発光ダイオードＬＤ２が上記任意輝度で点灯した際に、発光ダイオードＬＤ２から上記任意距離だけ第２方向Ｙに離れた位置において出射面ＬＡに生じる第１方向Ｘに沿う輝度分布の一例を示す。曲線Ｃ３は、発光ダイオードＬＤ３が上記任意輝度で点灯した際に、発光ダイオードＬＤ３から上記任意距離だけ第２方向Ｙに離れた位置において出射面ＬＡに生じる第１方向Ｘに沿う輝度分布の一例を示す。
【０１０１】
曲線Ｃ１〜Ｃ３の輝度分布は、いずれも、発光ダイオードＬＤの真正面において輝度が高く、発光ダイオードＬＤから第１方向Ｘに離れるに連れて輝度が低くなる。曲線Ｃ１〜Ｃ３の上方に示す直線Ｌは、第１方向Ｘの各位置において曲線Ｃ１〜Ｃ３が示す輝度を足し合わせた合計輝度を表している。この合計輝度が直線Ｌで示されるために、図１５の例においては第１方向Ｘにおける輝度ムラが生じていない。すなわち、上述した境界スジも生じていない。
【０１０２】
このように、隣り合う発光ダイオードＬＤの間に配置されるコア１２０にこれら発光ダイオードＬＤの双方からの光を入射させることで、第１方向Ｘにおける輝度ムラを抑えることができる。
例えば図１０の例に示した導光板１００の構成においては、各接続部分１２１を一体的に形成することで、隣り合う発光ダイオードＬＤの間のコア１２０にこれら発光ダイオードＬＤの双方からの光を入射させることができる。
【０１０３】
なお、上記合計輝度は必ずしも直線になる必要はなく、多少のムラを有していたとしても、本実施形態の構成により液晶表示装置ＬＣＤの表示品位が向上し得ることに変わりはない。
【０１０４】
隣り合う発光ダイオードＬＤの双方から光が入射するコア１２０の数は２つに限られず、１つであっても良いし３つ以上であっても良い。
なお、図１５に示した直線Ｌのようなムラの無い輝度分布を実現するために、隣り合う発光ダイオードＬＤの双方から光が入射するコア１２０を設けることに加え、クラッド１１０及びコア１２０の形状、材質、発光ダイオードＬＤからクラッド１１０及びコア１２０までの距離などを工夫し、それぞれを好適な条件に定めても良い。
【０１０５】
クラッド１１０の形状を工夫する場合の一例につき、図１６を参照して説明する。この図の例においては、３つの発光ダイオードＬＤ１，ＬＤ２，ＬＤ３と、これら発光ダイオードＬＤ１〜ＬＤ３からの光が第１端部１００ａ（第１端部３ａ）側から入射する複数のコア１２０とを模式的に示している。なお、接続部分１２１は図示を省略している。
図１６の例においては、図１５の例と異なり、発光ダイオードＬＤ１〜ＬＤ３からの光は、それぞれ７つのコア１２０に入射する。隣り合う発光ダイオードＬＤ（ＬＤ１とＬＤ２，ＬＤ２とＬＤ３）の双方から光が入射するコア１２０の数は２つである。
【０１０６】
図１６の例においては、１つの発光ダイオードＬＤから光が入射する複数のコア１２０の間の各隔壁１１１が、この発光ダイオードＬＤの真正面から離れるに連れて薄くなっている。すなわち、発光ダイオードＬＤ２からの光が入射する７つのコア１２０の間の６つの隔壁１１１を例にとると、中心の２つの隔壁１１１の幅がＷ１であり、その隣の２つの隔壁１１１の幅がＷ１よりも小さいＷ２であり、その隣の２つの隔壁１１１の幅がＷ２よりも小さいＷ３である（Ｗ１＞Ｗ２＞Ｗ３）。図１６の例において、コア１２０の幅は全て同じである。
【０１０７】
このように、隣り合う発光ダイオードＬＤの境界に近づくに連れて隔壁１１１の幅を小さくすることにより、境界付近において隔壁１１１が占める面積が低くなる。隔壁１１１はコア１２０のように発光せず、輝度の向上に寄与しないために、隔壁１１１が占める面積を減らすことで境界付近の輝度を高めることができる。すなわち、隔壁１１１の幅を変えることにより、第１方向Ｘにおける輝度ムラを抑えることができる。
【０１０８】
なお、ここでは隔壁１１１の幅を変える例を説明したが、コア１２０の幅を隣り合う発光ダイオードＬＤの境界に近づくほど大きくすることにより、出射面ＬＡの輝度を調整しても良い。例えば、図１６の例と同じく１つの発光ダイオードＬＤからの光がそれぞれ７つのコア１２０に入射し、隣り合う発光ダイオードＬＤの双方から光が入射するコア１２０の数が２つである場合を想定すると、上記７つのコア１２０のうち中心に近い２つのコア１２０の幅をＷ３とし、その隣の２つのコア１２０の幅をＷ２とし、その隣の２つのコア１２０の幅をＷ１とすることができる（Ｗ１＞Ｗ２＞Ｗ３）。
また、隔壁１１１及びコア１２０の双方の幅を調整しても良い。
また、図１５及び図１６においては、発光ダイオードＬＤからの光が第１端部１００ａ側からコア１２０に入射する場合を例にとって本実施形態に係る構成を説明した。しかしながら、反射体６により反射されて第２端部１００ｂ（第２端部３ｂ）側からコア１２０に入射する光に関しても同様の工夫を施すことができる。
【０１０９】
以上説明した第６実施形態においては、隣り合う発光ダイオードＬＤの間において、これら発光ダイオードＬＤの双方から光が入射するコア１２０を設けることで境界スジを抑制する例を説明した。しかしながら、境界スジを抑制する方法はこれに限られず、例えば隔壁１１１に小孔を設け、この小孔により隔壁１１１の一方の側のコア１２０と他方の側のコア１２０との間で相互に光を導くことで境界スジを抑制することもできる。
【０１１０】
図１７は、当該変形例に係る構成の一例を説明するための図であって、クラッド１１０及び発光ダイオードＬＤのＹ−Ｚ平面と平行な断面を模式的に示している。図１７の例において、クラッド１１０の隔壁１１１は、一方の溝１１２から他方の溝１１２まで貫通した複数の小孔１１３を有している。なお、小孔１１３は、必ずしも環状の孔である必要はなく、例えば隔壁１１１をその頂部１１１ａの側から切欠いたものであっても良い。
このような隔壁１１１の一方の側のコア１２０を伝播する光の一部は、小孔１１３から漏れて他方の側のコア１２０に入射する。すなわち、これらのコア１２０を伝播する光は小孔１１３を通じて混ざり合うために、これらのコア１２０の露出面１２０ａの輝度が均一化される。したがって、第１方向Ｘにおける出射面ＬＡの輝度ムラが抑制され、上述の境界スジの発生も防止される。
【０１１１】
なお、小孔１１３は、必ずしも全ての隔壁１１１に設けられる必要はなく、例えば、発光ダイオードＬＤの正面に位置する隔壁１１１には設けられずに、隣り合う発光ダイオードＬＤの間に位置する１又は複数の隔壁１１１にのみ設けられても良い。また、例えば発光ダイオードＬＤの正面に近い隔壁１１１ほど小孔１１３の数を減らすなど、各隔壁１１１における小孔１１３の数を変更しても良い。
第１端部１００ａの側からコア１２０に入射した光は、第２端部１００ｂの側に向けて伝播されるに連れて減衰する。また、第１端部１００ｂの側からコア１２０に入射した光は、第１端部１００ａの側に向けて伝播されるに連れて減衰する。そこで、図１７の例に示すように、隔壁１１１における小孔１１３の密度を第１端部１００ａの側及び第２端部１００ｂの側から中央Ｃに向けて徐々に低下させても良い。なお、密度を変化させることに代えて、小孔１１３のサイズ（開口面積、或いは直径等）を第１端部１００ａの側及び第２端部１００ｂの側から中央Ｃに向けて徐々に低下させても良い。
また、例えば各隔壁１１１において小孔１１３の第２方向Ｙの位置が同じである場合のように、小孔１１３の配置位置が規則的であれば、小孔１１３を通じて漏れる光が視認可能なスジとして現れ得る。そこで、各隔壁１１１における小孔１１３の配置位置をランダムに定めても良い。
【０１１２】
（第７実施形態）
第７実施形態について説明する。特に言及しない構成及び作用等については、第１及び第２実施形態と同様である。
【０１１３】
本実施形態では、第２実施形態で開示した導光板１００を第１導光板３に適用した場合を想定する。導光板１００に入射する光は、主にコア１２０の露出面１２０ａから出射するために、出射面ＬＡにおいてクラッド１１０の隔壁１１１に相当する低輝度のスジが生じ得る。本実施形態では、このようなスジを防止ないしは和らげるための方法を開示する。
【０１１４】
図１８及び図１９は、第７実施形態に係る構成の一例を説明するための図であって、クラッド１１０及びコア１２０のＸ−Ｚ平面と平行な断面を模式的に示している。これらの図に示すクラッド１１０の隔壁１１１の頂部１１１ａは、いずれも先端に向けて幅が狭まる形状であり、コア１２０は頂部１１１ａの近傍において頂部１１１ａの形状に応じて第１方向Ｘにおける幅が広がっている。
【０１１５】
図１８の例において、頂部１１１ａは円弧状に丸められており、コア１２０はこのように円弧状に丸められた頂部１１１ａの先端まで満たされている。図１９の例において、頂部１１１ａは先端に向けて先細るテーパ状であり、コア１２０はこのようなテーパ状の頂部１１１ａの先端まで満たされている。
【０１１６】
これらの構成においては、露出面１２０ａを隔壁１１１の上にまで広げることができる。したがって、上述した隔壁１１１によるスジを防止ないしは和らげることができる。
なお、図１８及び図１９においては隣り合うコア１２０が隔壁１１１により分離されている状態を示しているが、隣り合うコア１２０が隔壁１１１の先端を超えて接続されていても良い。
【０１１７】
以上説明した各実施形態に開示した構成は、適宜組み合わせることができるし、種々の態様に変形して実施することもできる。例えば、上記各実施形態においては、照明装置の一例として、液晶表示装置に搭載されるバックライトを開示した。しかしながら、上記各実施形態にて開示したバックライトの構成は、反射型の表示装置において用いられるフロントライトなどにも適用できる。
【０１１８】
また、第１乃至第７実施形態において述べた態様によりもたらされる他の作用効果について本明細書の記載から明らかなもの、又は当業者において適宜想到し得るものついては、当然に本発明によりもたらされるものと解される。
【符号の説明】
【０１１９】
ＬＣＤ…液晶表示装置、ＰＮＬ…液晶表示パネル、ＢＬ…バックライト、ＬＵ…光源ユニット、ＬＧ…導光体、ＤＡ…表示エリア、ＬＧＡ…出射面、ＬＤ…発光ダイオード、３…第１導光板、４…第２導光板、５…遮光層、６…反射体、５０…コントローラ
【図１】
2016051512.tif 000003
【図２】
2016051512.tif 000004
【図３】
2016051512.tif 000005
【図４】
2016051512.tif 000006
【図５】
2016051512.tif 000007
【図６】
2016051512.tif 000008
【図７】
2016051512.tif 000009
【図８】
2016051512.tif 000010
【図９】
2016051512.tif 000011
【図１０】
2016051512.tif 000012
【図１１】
2016051512.tif 000013
【図１２】
2016051512.tif 000014
【図１３】
2016051512.tif 000015
【図１４】
2016051512.tif 000016
【図１５】
2016051512.tif 000017
【図１６】
2016051512.tif 000018
【図１７】
2016051512.tif 000019
【図１８】
2016051512.tif 000020
【図１９】
2016051512.tif 000021